(57)【特許請求の範囲】
【請求項１】
立上り部がプレキャストコンクリート体であるプレキャスト基礎からなり、ベース部が現場打ちコンクリート体からなり、前記プレキャスト基礎の真下に前記ベース部の主筋が位置し、前記プレキャスト基礎の下端から突出した複数本のあばら筋に前記主筋が結合された連続基礎における、前記プレキャスト基礎を基礎構築場所で起立姿勢に支持するプレキャスト基礎施工治具であって、
前記プレキャスト基礎の下面に取付けられる受け部と、この受け部から立ち下がる脚部と、この脚部の下端から前記プレキャスト基礎の厚さ方向に広がる下端広がり部とを有し、前記脚部は前記プレキャスト基礎の前記真下の主筋の側方に位置し、前記脚部の前記主筋が位置する側方に、前記主筋に添わせて重ね継手で接合する継手鉄筋を前記側方から前記主筋に近づけるように導入可能な側方開放空間を有し、前記下端広がり部上に、前記側方開放空間に導入された前記継手鉄筋を載せる棚部を有し、
前記脚部が、高さ方向の少なくとも中間部分が前記プレキャスト基礎の厚さ方向に偏るように位置し、前記脚部の反偏り側となる側方に前記棚部を有するプレキャスト基礎施工治具。
【請求項２】
立上り部がプレキャストコンクリート体であるプレキャスト基礎からなり、ベース部が現場打ちコンクリート体からなり、前記プレキャスト基礎の真下に前記ベース部の主筋が位置し、前記プレキャスト基礎の下端から突出した複数本のあばら筋に前記主筋が結合された連続基礎における、前記プレキャスト基礎を基礎構築場所で起立姿勢に支持するプレキャスト基礎施工治具であって、
前記プレキャスト基礎の下面に取付けられる受け部と、この受け部から立ち下がる脚部と、この脚部の下端から前記プレキャスト基礎の厚さ方向に広がる下端広がり部とを有し、前記脚部は前記プレキャスト基礎の前記真下の主筋の側方に位置し、前記脚部の前記主筋が位置する側方に、前記主筋に添わせて重ね継手で接合する継手鉄筋を前記側方から前記主筋に近づけるように導入可能な側方開放空間を有し、前記下端広がり部上に、前記側方開放空間に導入された前記継手鉄筋を載せる棚部を有し、
前記脚部は、前記下端広がり部における広がり方向に延びる前後の縁部に沿う一対の前後縁立ち上がり板部とこれら前後縁立ち上がり板部の中間を結ぶ中間立ち上がり板部とでなる水平断面Ｈ形状であり、前記棚部は、前記脚部の前記前後縁立ち上がり板部の一部として前記下端広がり部から立ち上がる前後一対の棚部構成板部からなり、前記下端広がり部は前記脚部の前記一対の前後縁立ち上がり板部に続く板状であり、この下端広がり部および前記一対の棚部構成板部にコンクリート充填穴が設けられたプレキャスト基礎施工治具。
【請求項３】
請求項２に記載のプレキャスト基礎施工治具において、前記脚部が、高さ方向の少なくとも中間部分が前記プレキャスト基礎の厚さ方向に偏るように位置し、前記脚部の反偏り側となる側方に前記棚部を有するプレキャスト基礎施工治具。
【請求項４】
請求項１ないし請求項３のいずれか１項に記載のプレキャスト基礎施工治具において、前記連続基礎を構築する基礎支持面に載せられた状態で前記脚部の高さを調整する高さ調整部を前記下端広がり部に設けたプレキャスト基礎施工治具。
【請求項５】
請求項１ないし請求項４のいずれか１項に記載のプレキャスト基礎施工治具において、前記脚部の前記主筋が位置する側方とは反対側の側方に、前記各鉄筋とは異なる別の鉄筋を導入可能な逆側方開放空間を有し、前記下端広がり部上に、前記逆側方開放空間に導入された前記別の継手鉄筋を載せる第２の棚部を有するプレキャスト基礎施工治具。
【請求項６】
請求項２または請求項３に記載のプレキャスト基礎施工治具において、前記脚部の前記主筋が位置する側方とは反対側の側方に、前記各鉄筋とは異なる別の継手鉄筋を導入可能な逆側方開放空間を有し、前記下端広がり部上に、前記逆側方開放空間に導入された前記別の継手鉄筋を載せる第２の棚部を有し、この第２の棚部は、前記脚部の前記前後縁立ち上がり板部の一部として前記下端広がり部から立ち上がる前後一対の第２の棚部構成板部からなり、これら第２の棚部構成板部にコンクリート充填穴が設けられたプレキャスト基礎施工治具。
【請求項７】
請求項２または請求項３に記載のプレキャスト基礎施工治具において、前記受け部に、この受け部を前記プレキャスト基礎に取付けるボルトを挿通させる上下に貫通したボルト挿通孔を有し、このボルト挿通孔と底面視で整合する位置で、前記下端広がり部に前記ボルトを締めつける工具を挿通可能な大きさのコンクリート充填穴が設けられたプレキャスト基礎施工治具。
【請求項８】
立上り部がプレキャストコンクリート体であるプレキャスト基礎からなり、ベース部が現場打ちコンクリート体からなり、前記プレキャスト基礎の真下の前記ベース部の主筋、および下端が前記主筋に結合された複数本のあばら筋が前記プレキャスト基礎の下端から突出した連続基礎における、前記プレキャスト基礎を基礎構築場所に起立姿勢に設置し、かつ前記主筋と重ね継手で接続する継手鉄筋を配置するプレキャスト基礎施工方法であって、
前記プレキャスト基礎の下面にプレキャスト基礎施工治具を取付ける過程と、このプレキャスト基礎施工治具が取付けられたプレキャスト基礎を基礎支持面上に配置する過程と、前記継手鉄筋を前記主筋に添わせて結束線で前記主筋に結合する過程とを含み、前記プレキャスト基礎施工治具として、請求項１ないし請求項７のいずれか１項に記載のプレキャスト基礎施工治具を用い、前記継手鉄筋を、前記脚部の前記主筋が位置する側方から前記主筋に近づけて前記棚部に載せ、前記主筋に添わせることを特徴とするプレキャスト基礎施工方法。
【発明の詳細な説明】
【技術分野】
【０００１】
この発明は、ハーフプレキャスト構造の連続基礎の施工において、プレキャスト基礎を基礎構築場所で起立姿勢に支持するプレキャスト基礎施工治具、およびこのプレキャスト基礎施工治具を用いるプレキャスト基礎施工方法に関する。
【背景技術】
【０００２】
従来、立上り部がプレキャスト基礎からなり、ベース部が現場打ちコンクリート体からなるハーフプレキャスト構造の連続基礎の施工において、前記プレキャスト基礎を基礎構築場所で起立姿勢に支持するプレキャスト基礎施工治具が用いられている。このプレキャスト基礎施工治具として、例えば図１７に示すものが提案されている（特許文献１）。
現場打ちコンクリート体に埋め込む下端主筋２２が、あばら筋２４に接合されてプレキャスト基礎２１の下方に突出しており、下端主筋２２が干渉しないようにプレキャスト基礎２１を支持する必要がある。そのため、プレキャスト基礎施工治具３１は、プレキャスト基礎２１の底面に取り付けられる取付け部３２から、２つの脚部３３を突き出させ、両脚部３３，３３が下端主筋２２を跨ぐようにしている。前記脚部３３は、その下端からプレキャスト基礎２１の厚さ方向に延びる下端広がり部３４を有し、この下端広がり部３４には基礎支持面３０に載せられた状態で前記脚部３３の高さを調整するボルト３９が螺合されている。
【０００３】
前記プレキャスト基礎施工治具３１を用いた連続基礎の施工では、このプレキャスト基礎施工治具３１でプレキャスト基礎２１を起立姿勢に支持し、縦列に並ぶ各プレキャスト基礎２１の真下に位置する各下端の下端主筋２２，２２同士を、図１８のように継手鉄筋２５と結束線２６による重ね継手で接合する。
【先行技術文献】
【特許文献】
【０００４】
【特許文献１】特開２０１２−２１１４９６号公報
【特許文献２】特開２０１３−２２７７８７号公報
【特許文献３】特開２０１０−７０９０３号公報
【特許文献４】特開２００２−２１２９５７号公報
【特許文献５】特開平１０−１６８８９９号公報
【特許文献６】特開平８−３２６０６５号公報
【特許文献７】特開平７−２８６３３２号公報
【特許文献８】特開平７−１１３２４０号公報
【発明の概要】
【発明が解決しようとする課題】
【０００５】
上記構成のプレキャスト基礎施工治具３１では、その脚部３３がプレキャスト基礎２１の真下に位置する下端主筋２２を跨いだ状態となる。そのため、隣り合う下端主筋２２，２２同士を重ね継手で接合する継手鉄筋２５を下端主筋２２に添わせるのに、継手鉄筋２５を基礎長手方向に差し込む必要があって、沿わせ作業に手間がかかるという問題がある。また、継手鉄筋２５と下端主筋２２とを結束するときに、片手で継手主筋２５を支えながら作業を行なう必要があり、一人での作業が容易でないという問題もある。
【０００６】
この発明の目的は、プレキャスト基礎の下方に突出した主筋を隣のプレキャスト基礎の下方に突出した主筋と接続する継手鉄筋の配置作業が容易で、プレキャスト基礎の施工の作業性を向上させることができるプレキャスト基礎施工治具および施工方法を提供することである。
【課題を解決するための手段】
【０００７】
この発明のプレキャスト基礎施工治具は、立上り部がプレキャストコンクリート体であるプレキャスト基礎からなり、ベース部が現場打ちコンクリート体からなり、前記プレキャスト基礎の真下に前記ベース部の主筋が位置し、前記プレキャスト基礎の下端から突出した複数本のあばら筋に前記主筋が結合された連続基礎における、前記プレキャスト基礎を基礎構築場所で起立姿勢に支持するプレキャスト基礎施工治具であって、
前記プレキャスト基礎の下面に取付けられる受け部と、この受け部から立ち下がる脚部と、この脚部の下端から前記プレキャスト基礎の厚さ方向に広がる下端広がり部とを有し、前記脚部は前記プレキャスト基礎の前記真下の主筋の側方に位置し、前記脚部の前記主筋が位置する側方に、前記主筋に添わせて重ね継手で接合する継手鉄筋を前記側方から前記主筋に近づけるように導入可能な側方開放空間を有し、前記下端広がり部上に、前記側方開放空間に導入された前記継手鉄筋を載せる棚部を有することを基本構成とする。
【０００８】
この構成の治具によると、脚部の側方に、継手鉄筋を導入可能な側方開放空間を有する。そのため、前記継手鉄筋を、側方から主筋に近づけるように導入できる。また、下端広がり部上に、前記側方開放空間に導入された継手鉄筋を載せる棚部を有する。そのため、前記の導入した継手鉄筋を棚部に載せて支持させることが可能であり、縦列に並べられるプレキャスト基礎の真下に位置する主筋同士を重ね継手で接合する作業を、一人で効率良く行うことができる。
【０００９】
前記基本構成において、前記連続基礎を構築する基礎支持面に載せられた状態で前記脚部の高さを調整する高さ調整部を前記下端広がり部に設けても良い。この構成の場合、前記高さ調整部で前記脚部の高さを調整することで、プレキャスト基礎の高さを調整することができる。
【００１０】
この発明の第１のプレキャスト基礎施工治具は、前記基本構成のプレキャスト基礎施工治具において、前記脚部が、高さ方向の少なくとも中間部分が前記プレキャスト基礎の厚さ方向に偏るように位置し、前記脚部の反偏り側となる側方に前記棚部を有するものとされる。
脚部をこのように位置させると、プレキャスト基礎施工治具をプレキャスト基礎の厚さ方向の中央に位置させても、前記厚さ方向の中央に位置するベース部の主筋と脚部との干渉を回避できる。そのため、プレキャスト基礎をバランス良く支持することができる。
【００１１】
この発明の他のプレキャスト基礎施工治具は、前記基本構成のプレキャスト基礎施工治具において、前記脚部は、前記下端広がり部における広がり方向に延びる前後の縁部に沿う一対の前後縁立ち上がり板部とこれら前後縁立ち上がり板部の中間を結ぶ中間立ち上がり板部とでなる水平断面Ｈ形状であり、前記棚部は、前記脚部の前記前後縁立ち上がり板部の一部として前記下端広がり部から立ち上がる前後一対の棚部構成板部からなり、前記下端広がり部は前記脚部の前記一対の前後縁立ち上がり板部に続く板状であり、この下端広がり部および前記一対の棚部構成板部にコンクリート充填穴が設けられたものである。  この構成の場合、前記Ｈ形の断面形状によって強度が得易く、余分な材料を省いて軽量で剛性、材料コストに優れたものとできる。棚部構成板部にコンクリート充填穴が設けられているため、コンクリートの充填も確実に行える。
【００１２】
この発明において、前記脚部の前記主筋が位置する側方とは反対側の側方に、前記各鉄筋とは異なる別の鉄筋を導入可能な逆側方開放空間を有し、前記下端広がり部上に、前記逆側方開放空間に導入された前記別の鉄筋を載せる第２の棚部を有するものとしても良い。
この構成の場合、縦列に並ぶプレキャスト基礎に対してこれと直角に別のプレキャスト基礎を配置する連続基礎の施工において、前記直角に配置されるプレキャスト基礎の真下の主筋に対して平面視でＬ字状の継手鉄筋の一端側を前記主筋に重ね継手で接合し、この継手鉄筋の他端側を前記縦列に並ぶプレキャスト基礎を支持するプレキャスト基礎施工治具の前記逆側方開放空間から導入して前記第２の棚部に載せることによって、縦列の基礎部分とこれに対して直角方向に延びる別の基礎部分との間での主筋の接合を、プレキャスト基礎施工治具を介して一人で効率良く行なうことができる。なお、この明細書において「平面視」とは、上方から見ることを言う。
【００１３】
この発明において、前記脚部の前記主筋が位置する側方とは反対側の側方に、前記各鉄筋とは異なる別の鉄筋を導入可能な逆側方開放空間を有し、前記下端広がり部上に、前記逆側方開放空間に導入された前記別の鉄筋を載せる第２の棚部を有し、この第２の棚部は、前記脚部の前記前後縁立ち上がり板部の一部として前記下端広がり部から立ち上がる前後一対の第２の棚部構成板部からなり、これら第２の棚部構成板部にコンクリート充填穴が設けられたものであっても良い。
前記連続基礎として、Ｔ字形や十字形等を成すように、垂直方向の別のプレキャスト基礎が配置される場合がある。その場合、前記垂直方向のプレキャスト基礎の端部に定着用の鉄筋や継手鉄筋を突出状態に設ける場合がある。このような鉄筋を、前記第２の棚部構成板部に載せて支持させることができ、また前記逆側方開放空間があることで、前記第２の棚部構成板部上へ容易に導入できる。
【００１４】
この発明において、前記受け部に、この受け部を前記プレキャスト基礎に取付けるボルトを挿通させる上下に貫通したボルト挿通孔を有し、このボルト挿通孔と底面視で整合する位置で、前記下端広がり部に前記ボルトを締めつける工具を挿通可能な大きさのコンクリート充填穴を設けても良い。なお、この明細書において「底面視」とは、下方から見ることを言う。また、上記「整合」とは、必ずしも中心が一致していなくても良く、ボルトまたは工具等の相通させる物が相通可能な位置関係にあることを言う。
この構成の場合、受け部のボルト挿通孔に挿通させたボルトを締めつけて受け部をプレキャスト基礎に取付ける作業を、下端広がり部の前記コンクリート充填穴からボルト締めつけ用工具を挿入することで容易に行なえる。
【００１５】
この発明のプレキャスト基礎施工方法は、立上り部がプレキャストコンクリート体であるプレキャスト基礎からなり、ベース部が現場打ちコンクリート体からなり、前記プレキャスト基礎の真下の前記ベース部の主筋、および下端が前記主筋に結合された複数本のあばら筋が前記プレキャスト基礎の下端から突出した連続基礎における、前記プレキャスト基礎を基礎構築場所に起立姿勢に設置し、かつ前記主筋と重ね継手で接続する継手鉄筋を配置するプレキャスト基礎施工方法であって、
前記プレキャスト基礎の下面にプレキャスト基礎施工治具を取付ける過程と、このプレキャスト基礎施工治具が取付けられたプレキャスト基礎を基礎支持面上に配置する過程と、前記継手鉄筋を前記主筋に添わせて結束線で前記主筋に結合する過程とを含み、前記プレキャスト基礎施工治具として、この発明のプレキャスト基礎施工治具を用いる。
【００１６】
この施工方法によると、継手鉄筋を、前記脚部の主筋が位置する側方から主筋に近づけて前記棚部に載せ主筋に添わせることができるので、縦列に並べられるプレキャスト基礎の真下に配筋される主筋同士を重ね継手で接合する作業を効率良く行うことができる。
【発明の効果】
【００１７】
この発明のプレキャスト基礎施工治具は、立上り部がプレキャストコンクリート体であるプレキャスト基礎からなり、ベース部が現場打ちコンクリート体からなり、前記プレキャスト基礎の真下に前記ベース部の主筋が位置し、前記プレキャスト基礎の下端から突出した複数本のあばら筋に前記主筋が結合された連続基礎における、前記プレキャスト基礎を基礎構築場所で起立姿勢に支持するプレキャスト基礎施工治具であって、前記プレキャスト基礎の下面に取付けられる受け部と、この受け部から立ち下がる脚部と、この脚部の下端から前記プレキャスト基礎の厚さ方向に広がる下端広がり部とを有し、前記脚部は前記プレキャスト基礎の前記真下の主筋の側方に位置し、前記脚部の前記主筋が位置する側方に、前記主筋に添わせて重ね継手で接合する継手鉄筋を前記側方から前記主筋に近づけるように導入可能な側方開放空間を有し、前記下端広がり部上に、前記側方開放空間に導入された前記継手鉄筋を載せる棚部を有するものとしたため、プレキャスト基礎の下方に突出した主筋を隣のプレキャスト基礎の下方に突出した主筋と接続する継手鉄筋の配置作業が容易に行え、前記主筋同士の重ね継手による接合作業を効率良く行うことができる。
【００１８】
この発明のプレキャスト基礎施工方法は、立上り部がプレキャストコンクリート体であるプレキャスト基礎からなり、ベース部が現場打ちコンクリート体からなり、前記プレキャスト基礎の真下の前記ベース部の主筋、および下端が前記主筋に結合された複数本のあばら筋が前記プレキャスト基礎の下端から突出した連続基礎における、前記プレキャスト基礎を基礎構築場所に起立姿勢に設置し、かつ前記主筋と重ね継手で接続する継手鉄筋を配置するプレキャスト基礎施工方法であって、前記プレキャスト基礎の下面にプレキャスト基礎施工治具を取付ける過程と、このプレキャスト基礎施工治具が取付けられたプレキャスト基礎を基礎支持面上に配置する過程と、前記継手鉄筋を前記主筋に添わせて結束線で前記主筋に結合する過程とを含み、前記プレキャスト基礎施工治具は、前記プレキャスト基礎の前記主筋の側方に位置する脚部、および前記継手鉄筋を載せる棚部を有し、前記継手鉄筋を、前記脚部の前記主筋が位置する側方から前記主筋に近づけて前記棚部に載せ、前記主筋に添わせる方法としたため、プレキャスト基礎の下方に突出した主筋を隣のプレキャスト基礎の下方に突出した主筋と接続する継手鉄筋の配置作業が容易に行え、前記主筋同士の重ね継手による接合作業を効率良く行うことができる。
【図面の簡単な説明】
【００１９】
【図１】第１の発明のプレキャスト基礎施工治具を用いて施工される連続基礎の縦断面図である。
【図２】同連続基礎の部分正面図である。
【図３】この発明の一実施形態にかかるプレキャスト基礎施工治具の斜視図である。
【図４】同プレキャスト基礎施工治具を下側から見た斜視図である。
【図５】同プレキャスト基礎施工治具の正面図である。
【図６】（Ａ）は同プレキャスト基礎施工治具の受け部の平面図、（Ｂ）は同右側面図である。
【図７】同プレキャスト基礎施工治具の下端広がり部の裏面図である。
【図８】同プレキャスト基礎施工治具の右側面図である。
【図９】図５のＡ矢視方向から見た受け部の裏面図である。
【図１０】図５のＢ矢視方向から見た棚部の平面図である。
【図１１】同プレキャスト基礎施工治具でプレキャスト基礎を起立姿勢に支持した状態を示す正面図である。
【図１２】同プレキャスト基礎施工治具でプレキャスト基礎を起立姿勢に支持した状態を示す斜視図である。
【図１３】プレキャスト基礎の他の配置例を示す平面図である。
【図１４】同プレキャスト基礎施工治具の受け部をプレキャスト基礎の下面にボルトで締めつける作業の説明図である。
【図１５】この発明の他の実施形態にかかるプレキャスト基礎施工治具の斜視図である。
【図１６】同プレキャスト基礎施工治具の受け部をプレキャスト基礎の下面にボルトで締めつける作業の説明図である。
【図１７】プレキャスト基礎施工治具の従来例を示す正面図である。
【図１８】プレキャスト基礎を用いて施工される連続基礎における下端主筋と継手鉄筋の接合状態を示す正面図である。
【発明を実施するための形態】
【００２０】
この発明の第１の実施形態を図１ないし図１４と共に説明する。図１はこの実施形態のプレキャスト基礎施工治具を用いて施工される連続基礎の縦断面図を示し、図２はその連続基礎の部分正面図を示す。この連続基礎２０は、例えば住宅の外周部の布基礎である。この連続基礎２０は、立上り部２０Ａがプレキャストコンクリート体であり、ベース部２０Ｂが現場打ちコンクリート体からなるハーフプレキャスト構造である。プレキャスト基礎２１は、複数個が縦列に並べて配置される。プレキャスト基礎２１の真下には、前記ベース部２０Ｂの主筋である下端主筋２２が位置し、この下端主筋２２は、プレキャスト基礎２１の下端から突出した複数本のあばら筋２４の下端に溶接されている。下端主筋２２は、連続基礎の下端筋となる。隣り合うプレキャスト基礎２１の真下にそれぞれ配筋される前記下端主筋２２，２２同士は、これら下端主筋２２に継手鉄筋２５を添わせ、結束線２６で結束する重ね継手により互いに接合される。各プレキャスト基礎２１の上部に配筋される主筋である上端主筋２３同士は、図示しない機械継手等の鉄筋継手で接続される。
【００２１】
前記各プレキャスト基礎２１は、図３および図４に斜視図で示すこの実施形態のプレキャスト基礎施工治具１を用いて、図１１および図１２のように基礎構築場所における前記連続基礎２０を構築する基礎支持面３０の上に起立姿勢に支持される。このプレキャスト基礎施工治具１は、例えば、鋳物製品からなり、プレキャスト基礎２１の下面に取付けられる受け部２と、この受け部２から立ち下がる脚部３と、この脚部３の下端からプレキャスト基礎２１の厚さ方向に広がる下端広がり部４とを有する。脚部３は、図１１のようにプレキャスト基礎２１の真下の前記下端主筋２２の側方に位置する。脚部３の下端主筋２２が位置する側方には、下端主筋２２に添わせて重ね継手で接合する継手鉄筋２５を前記側方から下端主筋２２に近づけるように導入可能な側方開放空間８が形成されている。また、下端広がり部４上には、側方開放空間８に導入された継手鉄筋２５を載せる棚部１０が形成されている。
【００２２】
図３のように、前記受け部２には、この受け部２を前記プレキャスト基礎２１の下面に結合するボルト５を挿通させる上下に貫通したボルト挿通孔６が、プレキャスト基礎２１の厚さ方向に振り分けて２つ設けられている。これに対応して、プレキャスト基礎２１の下端部には、図１１のように前記ボルト５が螺合する２つの高ナット７が埋め込まれている。これにより、プレキャスト基礎２１の下面に前記受け部２が結合される。
【００２３】
前記脚部３は、高さ方向の少なくとも中間部分がプレキャスト基礎２１の厚さ方向に偏るように位置し、脚部３の反偏り側となる側方に前記棚部１０が形成されている。
脚部３をこのように位置させると、プレキャスト基礎施工治具１をプレキャスト基礎２１の厚さ方向の中央に位置させても、前記厚さ方向の中央に位置するベース部の主筋である下端主筋２２と脚部３との干渉が回避される。そのため、プレキャスト基礎２１をバランス良く支持することができる。
【００２４】
また、前記脚部３は、下端広がり部４における広がり方向に延びる前後の縁部に沿う一対の前後縁立ち上がり板部３ａ，３ａと、これら前後縁立ち上がり板部３ａ，３ａの中間を結ぶ中間立ち上がり板部３ｂとでなる水平断面Ｈ形状とされる。また、前記棚部１０は、脚部３の前後縁立ち上がり板部３ａ，３ａの一部として下端広がり部４から立ち上がる前後一対の棚部構成板部１０ａ，１０ａからなる。このように水平断面Ｈ形状とされているため、強度が得易く、余分な材料を省いて軽量で剛性、材料コストに優れたものとできる。
【００２５】
下端広がり部４は、前記脚部３の一対の前後縁立ち上がり板部３ａ，３ａに続く板状であり、図３および図４に示すように、下端広がり部４の板状部および前記一対の棚部構成板部１０ａ，１０ａにコンクリート充填穴１１，１２，１３が設けられている。下端広がり部４のコンクリート充填穴１３は、前記受け部２に設けられたボルト挿通孔６と底面視で整合する位置に設けられ、図１４のように前記ボルト挿通孔６に挿通させるボルト５を締めつける工具１９を挿通可能な大きさに形成されている。
下端広がり部４のコンクリート充填穴１３をこのように形成することにより、受け部２のボルト挿通孔６に挿通させたボルト５を締めつけて受け部２をプレキャスト基礎２１の下面に取付ける作業を、図１４のように、下端広がり部４の前記コンクリート充填穴１３からボルト締めつけ用工具１９を挿入させることで容易に行なうことができる。
【００２６】
また、前記下端広がり部４には、その長手方向の両端部にねじ孔１４が設けられ、このねじ孔１４に、前記脚部３の高さを調整する高さ調整部となる高さ調整ボルト９が螺合される。図１の連続基礎２０を構築する前記基礎支持面３０の上にプレキャスト基礎施工治具１が載せられた状態で、前記高さ調整ボルト９を廻すことにより、脚部３の高さを調整することができる。
【００２７】
また、前記脚部３の下端主筋２２が位置する側方とは反対側の側方には、前記各鉄筋２２，２５とは異なる別の定着用の鉄筋２７を導入可能な逆側方開放空間１８が形成されている。さらに、前記下端広がり部４上には、前記逆側方開放空間１８に導入された前記定着用の鉄筋２７を載せる第２の棚部１５が形成されている。
【００２８】
このように、脚部３の下端主筋２２が位置する側方とは反対側の側方に、前記各鉄筋２２，２５とは異なる定着用の鉄筋２７を導入可能な逆側方開放空間１８を形成し、さらに、下端広がり部４上に前記逆側方開放空間１８に導入された定着用の鉄筋２７を載せる第２の棚部１５を形成することにより、図１３のように縦列に並ぶプレキャスト基礎２１に対してこれと直角に別のプレキャスト基礎２１を配置する連続基礎の施工を以下のように行なうことができる。
前記定着用の鉄筋２７として平面視でＬ字状の定着用の鉄筋を用い、この定着用鉄筋２７の一端側を、前記直角に配置されるプレキャスト基礎２１の真下の下端主筋２２に重ね継手で接合する。この定着用鉄筋２７の他端側を前記縦列に並ぶプレキャスト基礎２１を支持するプレキャスト基礎施工治具１の前記逆側方開放空間１８から導入して前記第２の棚部１５に載せる。
【００２９】
前記第２の棚部１５は、脚部３の前後縁立ち上がり板部３ａ，３ａの一部として下端広がり部４から立ち上がる前後一対の第２の棚部構成板部１５ａ，１５ａからなり、これら第２の棚部構成板部１５ａ，１５ａにはコンクリート充填穴１６が設けられている。
このように第２の棚部１５を構成することにより、第２の棚部１５に前記定着用の鉄筋２７を載せて支持することができる。第２の棚部構成板部１５ａ，１５ａにはコンクリート充填穴１６が設けられているので、コンクリートの充填が確実に行える。
【００３０】
なお、前記脚部３の前後縁立ち上がり部３ａ，３ａは、受け部２の前後縁に続く上側において、受け部２の左右方向に広がっており、この上側広がり部３ａａのうち前記側方開放空間８側の部分にもコンクリート充填穴１７が設けられている。さらに、脚部３の前後縁立ち上がり部３ａ，３ａにおける前記上側広がり部３ａａの前記側方開放空間８を囲む下縁間には一部を半円形に切り欠いた板部３ｃが設けられている。その板部３ｃの切欠３ｃａは、図１４に示した工具１９の挿入を妨げないためのものである。同様に、前記棚部１０の前後の棚部構成板部１０ａ，１０ａの上縁間にも、一部を半円形に切り欠いた板部１０ｂが設けられている。その板部１０ｂの切欠１０ｂａも、図１４に示した工具１９の挿入を妨げないためのものである。図５はこのプレキャスト基礎施工治具１の正面図を示し、図６（Ａ）はその受け部２の平面図を、図６（Ｂ）はその受け部２の左側面図を示す。図７は同プレキャスト基礎施工治具１の下端広がり部４の裏面図を示し、図８は同プレキャスト基礎施工治具１の右側面図を示す。図９は図５における矢印Ａの方向から見た受け部２の裏面図を、図１０は図５における矢印Ｂの方向から見た棚部１０の平面図を示す。
【００３１】
このプレキャスト基礎施工治具１を用いた前記連続基礎２０の施工方法は、以下のように行われる。
まず、プレキャスト基礎２１の下面に、前記ボルト５を用いてプレキャスト基礎施工治具１の受け部２を取付ける。次に、このプレキャスト基礎施工治具１が取付けられたプレキャスト基礎２１を、基礎支持面３０上に配置する。次に、図２のように継手鉄筋２５を前記下端主筋２２に添わせて結束線２６で下端主筋２２に結合する。プレキャスト基礎施工治具１は、上記したように下端主筋２２の側方に位置する脚部３を有するので、継手鉄筋２５を、脚部３の下端主筋２２が位置する側方から下端主筋２２に近づけて下端主筋２２に添わせることができ、プレキャスト基礎施工の施工効率を上げることができる。
なお、図５および図１１では、下端主筋２２の側方に継手鉄筋２５を添わせて接合する場合を例示したが、同図に仮想線で示すように、下端主筋２２の斜め上方あるいは下端主筋２２の上に重なるように継手鉄筋２５を添わせて接合しても良い。
【００３２】
図１５および図１６は、この発明の他の実施形態を示す。この実施形態では、図１ないし図１４に示した先の実施形態において、図１５のように底面視で受け部２のボルト挿通孔６と整合する下端広がり部４の大径のコンクリート充填穴１３が省略されている。その他の構成は、先の実施形態の場合と同様である。
【００３３】
この実施形態の場合、下端広がり部４に工具１９を挿入する開口がないので、受け部２のボルト挿通孔６に挿通させたボルト５を締めつけて受け部２をプレキャスト基礎２１に取付ける作業を、図１６のように、脚部３の側方からボルト締めつけ用工具１９を挿入させて行なう。その他の作用効果は、先の実施形態の場合と同様である。
【符号の説明】
【００３４】
１…プレキャスト基礎施工治具
２…受け部
３…脚部
３ａ…前後縁立ち上がり板部
３ｂ…中間立ち上がり板部
４…下端広がり部
８…側方開放空間
９…高さ調整ボルト（高さ調整部）
１０…棚部
１０ａ…棚部構成板部
１１, １２, １３, １６…コンクリート充填穴
１５…第２の棚部
１５ａ…第２の棚部構成板部
１８…逆側方開放空間
２０…連続基礎
２０Ａ…立上り部
２０Ｂ…ベース部
２１…プレキャスト基礎
２２…下端主筋
２４…あばら筋
２５…継手鉄筋
２６…結束線
２７…定着用の鉄筋
３０…基礎支持面
【図１】
0006502145.tif 000002
【図２】
0006502145.tif 000003
【図３】
0006502145.tif 000004
【図４】
0006502145.tif 000005
【図５】
0006502145.tif 000006
【図６】
0006502145.tif 000007
【図７】
0006502145.tif 000008
【図８】
0006502145.tif 000009
【図９】
0006502145.tif 000010
【図１０】
0006502145.tif 000011
【図１１】
0006502145.tif 000012
【図１２】
0006502145.tif 000013
【図１３】
0006502145.tif 000014
【図１４】
0006502145.tif 000015
【図１５】
0006502145.tif 000016
【図１６】
0006502145.tif 000017
【図１７】
0006502145.tif 000018
【図１８】
0006502145.tif 000019